(57)【要約】【課題】光ディスク再生装置において、ユーザに違和感を与えることなく、ユーザが使用し易いＧＵＩを実現する。【解決手段】光ディスク再生装置は、コンテンツの再生中であり（＃１でＹＥＳ）、再生中のコンテンツがＢＤ−Ｊコンテンツでない場合には（＃８でＮＯ）、ユーザによりリモコンが操作されて数字が入力されると（＃９でＹＥＳ）、その入力された数字をＯＳＤ表示する（＃１０）。その後、ユーザによりリモコンが操作されて数字の入力が確定されると（＃１１でＹＥＳ）、ボタン選択サーチ処理とチャプタサーチ処理のどちらかを開始することになり、ボタン選択サーチ処理を開始すると（＃１２でＹＥＳ）、ボタン選択サーチ処理が開始されたことを表す画像をＯＳＤ表示し（＃１３）、チャプタサーチ処理を開始すると（＃１４でＹＥＳ）、チャプタサーチ処理が開始されたことを表す画像をＯＳＤ表示する（＃１５）。【選択図】図２
2010257508.tif 000002
【特許請求の範囲】
【請求項１】
本装置の動作を指示するためにユーザにより操作され、その操作内容を示す操作信号を出力する操作手段と、
前記操作手段から出力される操作信号、及び光ディスクに記録されている制御データに基いて、前記光ディスクに記録されている画像データに基く画像の再生処理を実行し、その再生処理を開始したときに、その再生処理の種類を示す処理信号を出力する再生制御手段と、
前記操作手段から出力される操作信号、及び前記再生制御手段から出力される処理信号に基いて、ユーザによる前記操作手段の操作内容を表す画像、及び前記再生制御手段により開始された再生処理の種類を表す画像を表示するＧＵＩ制御手段と、を備えた光ディスク再生装置において、
前記ＧＵＩ制御手段は、
ユーザにより前記操作手段が操作されると、前記操作手段から出力される操作信号に基いて、ユーザによる前記操作手段の操作内容を表す画像を表示し、
その後、前記再生制御手段により再生処理が開始されると、前記再生制御手段から出力される処理信号に基いて、前記再生制御手段により開始された再生処理の種類を表す画像を表示する、
ことを特徴とする光ディスク再生装置。
【請求項２】
前記ＧＵＩ制御手段は、
前記再生制御手段により開始された再生処理の種類を表す画像を表示している間、前記操作手段の操作内容を表す画像を継続して表示する、
ことを特徴とする請求項１に記載の光ディスク再生装置。
【請求項３】
前記ＧＵＩ制御手段は、
ユーザにより前記操作手段が操作されて数字が入力されると、その入力された数字を、前記操作手段の操作内容を表す画像として表示し、
その後、ユーザにより前記操作手段が操作されて数字の入力が確定されて、その入力が確定された数字に応じて前記再生制御手段により再生処理が開始されると、前記再生制御手段により開始された再生処理の種類を表す画像を表示する、
ことを特徴とする請求項２に記載の光ディスク再生装置。
【請求項４】
前記再生制御手段は、再生処理として、タイトルサーチ処理、ボタン選択サーチ処理、及びチャプタサーチ処理を実行し、
タイトルサーチ処理は、ユーザにより前記操作手段が操作されて数字が入力されると共に数字の入力が確定されたことを受けて、その入力が確定された数字に対応するタイトルを再生する処理であり、
ボタン選択サーチ処理は、ユーザにより前記操作手段が操作されて数字が入力されると共に数字の入力が確定されたことを受けて、その入力が確定された数字に対応する再生位置から再生する処理であり、
チャプタサーチ処理は、ユーザにより前記操作手段が操作されて数字が入力されると共に数字の入力が確定されたことを受けて、その入力が確定された数字に対応するチャプタを再生する処理であり、
前記ＧＵＩ制御手段は、
前記再生制御手段により再生処理としてタイトルサーチ処理が開始されると、タイトルサーチ処理が開始されたことを表す画像を、前記再生制御手段により開始された再生処理の種類を表す画像として表示し、
前記再生制御手段により再生処理としてボタン選択サーチ処理が開始されると、ボタン選択サーチ処理が開始されたことを表す画像を、前記再生制御手段により開始された再生処理の種類を表す画像として表示し、
前記再生制御手段により再生処理としてチャプタサーチ処理が開始されると、チャプタサーチ処理が開始されたことを表す画像を、前記再生制御手段により開始された再生処理の種類を表す画像として表示する、
ことを特徴とする請求項３に記載の光ディスク再生装置。
【発明の詳細な説明】
【技術分野】
【０００１】
本発明は、光ディスクから画像を再生する光ディスク再生装置に関するものである。
【背景技術】
【０００２】
従来から、光ディスク再生装置は、ユーザによる操作手段の操作、及び光ディスクに記録されている制御データに基いて、光ディスクに記録されている画像データに基く画像の再生処理として、タイトルサーチ処理、ボタン選択サーチ処理、及びチャプタサーチ処理等を実行するようになっている。また、このような光ディスク再生装置において、ＧＵＩ（Graphical User Interface）によって、操作手段の操作内容や光ディスク再生装置の動作内容を画像表示してユーザに伝えるようにしたものがある。
【０００３】
このような光ディスク再生装置では、光ディスクに記録されている画像データに基く画像の再生処理は、再生制御部による制御のもと実行され、また、ＧＵＩは、ＧＵＩ制御手段によって制御される。操作手段は、ユーザにより操作されると、その操作内容を示す操作信号を出力する。再生制御部は、操作手段から出力される操作信号（ユーザによる操作手段の操作内容）、及び光ディスクに記録されている制御データに基いて、光ディスクに記録されている画像データに基く画像の再生処理を実行し、その再生処理を開始したときに、その再生処理の種類を示す処理信号を出力する。そして、ＧＵＩ制御手段は、再生制御手段から出力される処理信号に基いて、ＧＵＩを表示（ユーザによる操作手段の操作内容や再生制御部における再生処理の種類を画像表示）する。
【０００４】
一方、種々の操作キーのうち、その時点で操作可能なキーをユーザに通知するようにした光ディスク再生装置が知られている（例えば特許文献１参照）。また、ユーザによるリモコンの操作によって、記録媒体に記録された画像信号の再生手順を設定できるようにした信号処理装置が知られている（例えば特許文献２参照）。また、リモコンの操作を受けてジャンルを検索し、検索したジャンル名の録画タイトルを画面表示するようにした映像記録再生装置が知られている（例えば特許文献３参照）。また、リモコンにおけるキー操作が操作の禁止されているキー操作であった場合や、キー操作により選択された情報が存在しなかった場合に、画面にエラーマークを表示するようにした映像再生装置が知られている（例えば特許文献４参照）。また、スクリーン上に表示される複数の動作状態から所定の表示を選択し、選択された動作状態で装置を動作させるようにしたビデオ装置が知られている（例えば特許文献５参照）。
【先行技術文献】
【特許文献】
【０００５】
【特許文献１】特開平１１−２３８３６７号公報
【特許文献２】特許第３８２６０３９号公報
【特許文献３】特開２００５−１２５２５号公報
【特許文献４】特開２００５−９２９９７号公報
【特許文献５】実用新案登録第３０１７６４２号公報
【発明の概要】
【発明が解決しようとする課題】
【０００６】
ところで、ユーザによる操作手段の操作を受けてどのような再生処理を実行するかは、光ディスクの種類やコンテンツの種類によって予め規定されており、光ディスクの種類やコンテンツの種類によって異なっている場合がある。従って、再生制御手段は、ユーザが同じように操作手段を操作をしても、光ディスクの種類やコンテンツの種類によって、再生処理として異なる処理を実行する場合がある。
【０００７】
また、ＧＵＩ制御手段は、上述のように、再生制御手段が再生処理を開始したときに再生制御手段から出力される処理信号（再生処理の種類を示す信号）に基いて、ＧＵＩを表示するようになっている。すなわち、ＧＵＩ制御手段は、再生制御手段から処理信号が出力される前（再生制御手段により再生処理が開始される前）に、再生処理の種類を知ることはできず、再生制御手段から処理信号が出力された後（再生制御手段により再生処理が開始された後）に、再生制御手段から出力される処理信号によって、再生処理の種類を知ることができる。このため、ＧＵＩ制御手段は、再生制御手段により再生処理が開始された後に、その開始された再生処理の種類に応じて、異なるＧＵＩを表示するようになっている。
【０００８】
つまり、従来の光ディスク再生装置においては、ユーザが操作手段を同じように操作しても、異なる再生処理が行われて、異なるＧＵＩが表示されることがあり、ユーザに違和感を与えることになる。なお、上述した特許文献１乃至特許文献５に開示の内容を適用したとしても、上記の問題を解決することはできない。
【０００９】
本発明は、上記課題を解決するためになされたものであり、ユーザに違和感を与えることなく、ユーザが使用し易いＧＵＩを実現することができる光ディスク再生装置を提供することを目的とする。
【課題を解決するための手段】
【００１０】
上記目的を達成するために請求項１の発明は、本装置の動作を指示するためにユーザにより操作され、その操作内容を示す操作信号を出力する操作手段と、操作手段から出力される操作信号、及び光ディスクに記録されている制御データに基いて、光ディスクに記録されている画像データに基く画像の再生処理を実行し、その再生処理を開始したときに、その再生処理の種類を示す処理信号を出力する再生制御手段と、操作手段から出力される操作信号、及び再生制御手段から出力される処理信号に基いて、ユーザによる操作手段の操作内容を表す画像、及び再生制御手段により開始された再生処理の種類を表す画像を表示するＧＵＩ制御手段と、を備えた光ディスク再生装置において、ＧＵＩ制御手段は、ユーザにより操作手段が操作されると、操作手段から出力される操作信号に基いて、ユーザによる操作手段の操作内容を表す画像を表示し、その後、再生制御手段により再生処理が開始されると、再生制御手段から出力される処理信号に基いて、再生制御手段により開始された再生処理の種類を表す画像を表示するものである。
【００１１】
請求項２の発明は、請求項１に記載の光ディスク再生装置において、ＧＵＩ制御手段は、再生制御手段により開始された再生処理の種類を表す画像を表示している間、操作手段の操作内容を表す画像を継続して表示するものである。
【００１２】
請求項３の発明は、請求項２に記載の光ディスク再生装置において、ＧＵＩ制御手段は、ユーザにより操作手段が操作されて数字が入力されると、その入力された数字を、操作手段の操作内容を表す画像として表示し、その後、ユーザにより操作手段が操作されて数字の入力が確定されて、その入力が確定された数字に応じて再生制御手段により再生処理が開始されると、再生制御手段により開始された再生処理の種類を表す画像を表示するものである。
【００１３】
請求項４の発明は、請求項３に記載の光ディスク再生装置において、再生制御手段は、再生処理として、タイトルサーチ処理、ボタン選択サーチ処理、及びチャプタサーチ処理を実行し、タイトルサーチ処理は、ユーザにより操作手段が操作されて数字が入力されると共に数字の入力が確定されたことを受けて、その入力が確定された数字に対応するタイトルを再生する処理であり、ボタン選択サーチ処理は、ユーザにより操作手段が操作されて数字が入力されると共に数字の入力が確定されたことを受けて、その入力が確定された数字に対応する再生位置から再生する処理であり、チャプタサーチ処理は、ユーザにより操作手段が操作されて数字が入力されると共に数字の入力が確定されたことを受けて、その入力が確定された数字に対応するチャプタを再生する処理であり、ＧＵＩ制御手段は、再生制御手段により再生処理としてタイトルサーチ処理が開始されると、タイトルサーチ処理が開始されたことを表す画像を、再生制御手段により開始された再生処理の種類を表す画像として表示し、再生制御手段により再生処理としてボタン選択サーチ処理が開始されると、ボタン選択サーチ処理が開始されたことを表す画像を、再生制御手段により開始された再生処理の種類を表す画像として表示し、再生制御手段により再生処理としてチャプタサーチ処理が開始されると、チャプタサーチ処理が開始されたことを表す画像を、再生制御手段により開始された再生処理の種類を表す画像として表示するものである。
【発明の効果】
【００１４】
請求項１乃至請求項４の発明によれば、ユーザが操作手段を操作すると、その操作内容を表す画像が表示され、ユーザによる操作手段の操作を受けて再生処理が開始されると、その再生処理の種類を表す画像が表示される。すなわち、光ディスクの種類やコンテンツの違いに関わらず、同じように、ユーザによる操作手段の操作内容を表す画像、及びユーザによる操作手段の操作を受けて開始された再生処理の種類を表す画像が表示され、ＧＵＩが共通化、統一化される。これにより、ユーザに違和感を与えることなく、ユーザが使用し易いＧＵＩを実現することができる。
【図面の簡単な説明】
【００１５】
【図１】本発明の一実施形態に係る光ディスク再生装置の概略構成を示す電気的ブロック構成図。
【図２】同光ディスク再生装置のＧＵＩの表示処理を示すフローチャート。
【図３】同光ディスク再生装置のタイトルサーチ処理時のＧＵＩの表示例を示す図。
【図４】同光ディスク再生装置のボタン選択サーチ処理時のＧＵＩの表示例を示す図。
【図５】同光ディスク再生装置のチャプタサーチ処理時のＧＵＩの表示例を示す図。
【発明を実施するための形態】
【００１６】
以下、本発明を具体化した実施形態による光ディスク再生装置について図面を参照して説明する。図１は、本実施形態による光ディスク再生装置の構成を示す。光ディスク再生装置１は、光ディスク２から画像を再生する装置である。光ディスク再生装置１は、ディスプレイ３を接続して使用するようになっており、光ディスク２に記録されている画像データに基く画像をディスプレイ３に表示することにより、光ディスク２から画像を再生するようになっている。
【００１７】
光ディスク再生装置１は、リモコン（操作手段）１１と、リモコン受信部１２と、光ディスクドライブ１３と、再生制御部（再生制御手段）１４と、ＧＵＩ制御部（ＧＵＩ制御手段）１５と、ＯＳＤ処理部１６等を備える。
【００１８】
リモコン１１は、光ディスク再生装置１の各種動作を指示するためにユーザに操作される。リモコン１１は、光ディスク再生装置１の各種動作を指示するためにユーザに操作される各種操作キーを備えており、各種操作キーが操作されることにより、その操作内容を示す操作信号を無線信号によって出力する。リモコン受信部１２は、リモコン１１から無線信号によって出力された操作信号を受信して、リモコン１１の操作内容を示す操作信号を電気信号によって出力する。
【００１９】
光ディスクドライブ１３は、光ディスク２が装着／取外しされるようになっており、再生制御部１４による制御のもと、装着された光ディスク２から記録データ（光ディスク２に記録されている管理データ、制御データ、画像データ等の各種データ）を読取って、光ディスク２から読取った記録データを出力する。
【００２０】
再生制御部１４は、光ディスクドライブ１３によって光ディスク２から記録データを読取らせ、光ディスク２から読取った（光ディスクドライブ１３から出力される）記録データに基いて、光ディスク２に記録されている画像データに基く画像を表示するための画像信号を生成し、その画像信号を出力する。
【００２１】
ＧＵＩ制御部１５は、ＧＵＩ（Graphical User Interface）を表示するための画像信号を生成し、その画像信号を出力する。ＯＳＤ処理部１６は、再生制御部１４から出力される画像信号にＧＵＩ制御部１５から出力される画像信号を重畳する処理を行い、その処理後の画像信号をディスプレイ３に供給する。
【００２２】
再生制御部１４から出力された画像信号がＯＳＤ処理部１６における処理を経てディスプレイ３に供給されることにより、光ディスク２に記録されている画像データに基く画像がディスプレイ３に表示される。すなわち、再生制御部１４は、光ディスクドライブ１３によって光ディスク２から記録データを読取らせ、光ディスク２に記録されている画像データに基く画像を表示するための画像信号を出力することにより、光ディスク２に記録されている画像データに基く画像の再生処理を実行する。
【００２３】
また、ＧＵＩ制御部１５から出力された画像信号がＯＳＤ処理部１６における処理を経てディスプレイ３に供給されることにより、ＧＵＩがディスプレイ３にＯＳＤ表示（光ディスク２に記録されている画像データに基く画像上に重ねて表示）される。すなわち、ＧＵＩ制御部１５は、ＧＵＩを表示するための画像信号を生成し、その画像信号を出力することにより、ＧＵＩの表示処理を実行する。
【００２４】
再生制御部１４は、リモコン受信部１２から出力される操作信号（すなわちリモコン１１から出力される操作信号）、及び光ディスク２に記録されている制御データに基いて、光ディスク２に記録されている画像データに基く画像の再生処理を実行する。また、再生制御部１４は、再生処理を開始したときに、その再生処理の種類を示す処理信号を出力する。再生制御部１４は、再生処理として、タイトルサーチ処理、ボタン選択サーチ処理、及びチャプタサーチ処理を実行する。
【００２５】
ＧＵＩ制御部１５は、リモコン受信部１２から出力される操作信号（すなわちリモコン１１から出力される操作信号）、及び再生制御部１４から出力される処理信号に基いて、ＧＵＩの表示処理を実行する。ＧＵＩ制御部１５は、ＧＵＩとして、ユーザによるリモコン１１の操作内容を表す画像、及び再生制御部１４により開始された再生処理の種類を表す画像を表示する。
【００２６】
ここで、光ディスク２のコンテンツ（光ディスク２に記録されている画像データに基く画像）、及び再生制御部１４が実行する再生処理について説明する。光ディスク２のコンテンツは、１つ又は複数のタイトルを有しており、タイトルは、１つ又は複数のチャプタを有している。また、タイトルには、ボタン有りタイトルとボタン無しタイトルがある。
【００２７】
ボタン有りタイトルとは、コンテンツの再生中に、常時又は所定のタイミングで、再生画像上に再生画像の一部として１つ又は複数のボタンが表示されるタイトルである。このボタン有りタイトルにおいて表示されるボタンは、ユーザに選択させるために表示されるものであり、コンテンツのスキップ先に対応付けられている。すなわち、ボタン有りタイトルにおいて表示されるボタンは、そのボタンをユーザに選択させて、コンテンツの再生位置をスキップさせるために表示されるものである。
【００２８】
つまり、ボタン有りタイトルは、コンテンツの再生中に、ユーザが再生画像の一部として表示されるボタンを選択することにより、コンテンツの再生位置をそのボタンに対応付けられたスキップ先にスキップさせることができるタイトルである。再生画像の一部として表示されるボタンには、数字が表示されており、ユーザは、リモコン１１を操作して数字を入力することにより、再生画像の一部として表示されるボタンを選択するようになっている。再生画像の一部として表示されるボタンとスキップ先との対応付けは、光ディスク２に記録されている制御データによって記述されている。
【００２９】
また、ボタン無しタイトルとは、ボタン有りタイトルにおけるボタン（コンテンツの再生位置をスキップさせるためにユーザに選択させるためのボタン）が表示されないタイトルである。
【００３０】
再生制御部１４は、コンテンツの再生中であるか否か、また、コンテンツの再生中である場合には、再生中のコンテンツがボタン有りタイトルとボタン無しタイトルのいずれであるかによって、光ディスク２に記録されている画像データに基く画像の再生処理として、タイトルサーチ処理、ボタン選択サーチ処理、及びチャプタサーチ処理のうちのいずれかの処理を実行する。
【００３１】
タイトルサーチ処理は、ユーザによるタイトルの選択を受けて、その選択されたタイトルをサーチして、そのタイトルを再生する処理である。ユーザによるタイトルの選択は、ユーザによりリモコン１１が操作されて数字が入力されることにより行われる。タイトルの選択において入力される数字は、１桁又は２桁となっている。
【００３２】
つまり、タイトルサーチ処理は、ユーザによりリモコン１１が操作されて１桁又は２桁の数字が入力されると共に数字の入力が確定されたことを受けて、その入力が確定された数字に対応するタイトルを再生する処理である。
【００３３】
このタイトルサーチ処理は、コンテンツの再生を行っていない（コンテンツの再生を停止している）ときに行われる処理である。また、このタイトルサーチ処理は、ＢＤ−ＶＩＤＥＯメディアにおけるＨＤＭＶコンテンツ、ＢＤ−Ｊコンテンツ、ＢＤ−ＶＩＤＥＯメディア以外のＢＤ／ＤＶＤ／ＢＤ−ＡＶ／ＤＶＤ−ＶＲ／ＡＶＣＨＤ／ＡＶＣＲＥＣなどのメディアにおけるコンテンツの全てのコンテンツに共通して行われる処理である。すなわち、再生制御部１４は、コンテンツの再生を行っていないときに、ユーザによりリモコン１１が操作されて数字が入力されると共に数字の入力が確定されると、タイトルサーチ処理を実行する。
【００３４】
ボタン選択サーチ処理は、ボタン有りタイトルの再生中において、ユーザによる再生画像の一部として表示されるボタンの選択を受けて、その選択されたボタンに対応付けられた再生位置にスキップして、そのスキップした再生位置から再生する処理である。ユーザによるボタンの選択は、ユーザによりリモコン１１が操作されて数字が入力されることにより行われる。ボタンの選択において入力される数字は、１桁又は２桁となっている。
【００３５】
つまり、ボタン選択サーチ処理は、ユーザによりリモコン１１が操作されて数字が入力されると共に数字の入力が確定されたことを受けて、その入力が確定された数字に対応する再生位置から再生する処理である。
【００３６】
このボタン選択サーチ処理は、ボタン有りタイトルの再生中に行われる処理である。また、このボタン選択サーチ処理は、ＢＤ−Ｊコンテンツ以外のコンテンツ（ＢＤ−ＶＩＤＥＯメディアにおけるＨＤＭＶコンテンツ、ＢＤ−ＶＩＤＥＯメディア以外のＢＤ／ＤＶＤ／ＢＤ−ＡＶ／ＤＶＤ−ＶＲ／ＡＶＣＨＤ／ＡＶＣＲＥＣなどのメディアにおけるコンテンツ）に共通して行われる処理である。すなわち、再生制御部１４は、ＢＤ−Ｊコンテンツ以外のコンテンツにおけるボタン有りタイトルの再生中に、ユーザによりリモコン１１が操作されて数字が入力されると共に数字の入力が確定されると、ボタン選択サーチ処理を実行する。
【００３７】
チャプタサーチ処理は、ボタン無しタイトルの再生中において、ユーザによるチャプタの選択を受けて、その選択されたチャプタをサーチして、そのチャプタを再生する処理である。ユーザによるチャプタの選択は、ユーザによりリモコン１１が操作されて数字が入力されることにより行われる。チャプタの選択において入力される数字は、１桁又は２桁となっている。
【００３８】
つまり、チャプタサーチ処理は、ユーザによりリモコン１１が操作されて数字が入力されると共に数字の入力が確定されたことを受けて、その入力が確定された数字に対応するチャプタを再生する処理である。
【００３９】
このチャプタサーチ処理は、ボタン無しタイトルの再生中に行われる処理である。また、このチャプタサーチ処理は、ＢＤ−Ｊコンテンツ以外のコンテンツに共通して行われる処理である。すなわち、再生制御部１４は、ＢＤ−Ｊコンテンツ以外のコンテンツにおけるボタン無しタイトルの再生中に、ユーザによりリモコン１１が操作されて数字が入力されると共に数字の入力が確定されると、チャプタサーチ処理を実行する。
【００４０】
なお、ＢＤ−Ｊコンテンツの再生中においては、処理を指示するために入力される数字は、全て１桁となっており、１桁目の数字が入力された時点で数字の入力が確定されたことになる。すなわち、再生制御部１４は、ＢＤ−Ｊコンテンツの再生中に、ユーザによりリモコン１１が操作されて１桁目の数字が入力されると、入力された数字に従う処理を実行する。このとき、再生制御部１４は、１桁目の数字が入力されてから０．５秒以内に、入力された数字に対応する処理を実行するようになっている。
【００４１】
次に、ＧＵＩ制御部１５が実行するＧＵＩの表示処理について説明する。ＧＵＩ制御部１５は、ユーザによりリモコン１１が操作されると、まず、リモコン１１から出力される操作信号に基いて、ユーザによるリモコン１１の操作内容を表す画像を表示し、その後、再生制御部１４により再生処理（リモコン１１から出力される操作信号に基いて実行される再生処理）が開始されると、再生制御部１４から出力される処理信号に基いて、再生制御部１４により開始された再生処理の種類を表す画像を表示する。
【００４２】
すなわち、ＧＵＩ制御部１５は、ユーザによりリモコン１１が操作されて数字が入力されると、その入力された数字を、リモコン１１の操作内容を表す画像として表示し、その後、ユーザによりリモコン１１が操作されて数字の入力が確定されて、その入力が確定された数字に応じて再生制御部１４により再生処理が開始されると、再生制御部１４により開始された再生処理の種類を表す画像を表示する。このとき、ＧＵＩ制御部１５は、再生制御部１４により開始された再生処理の種類を表す画像を表示している間、リモコン１１の操作内容を表す画像を継続して表示する。
【００４３】
図２は、ＧＵＩ制御部１５が実行するＧＵＩの表示処理のフローチャートを示す。まず、コンテンツの再生中でない場合には（＃１でＮＯ）、ユーザによりリモコン１１が操作されて数字が入力されると（＃２でＹＥＳ）、ＧＵＩ制御部１５は、リモコン１１から出力される操作信号（入力された数字を示す信号）に基いて、その入力された数字を、リモコン１１の操作内容を表す画像としてディスプレイ３にＯＳＤ表示する（＃３）。
【００４４】
その後、ユーザによりリモコン１１が操作されて数字の入力が確定されると（＃４でＹＥＳ）、リモコン１１から出力される操作信号（数字の入力が確定されたことを示す信号）に基いて、再生制御部１４により再生処理としてタイトルサーチ処理が実行されることになる。
【００４５】
そして、再生制御部１４により再生処理としてタイトルサーチ処理が開始されると（＃５でＹＥＳ）、ＧＵＩ制御部１５は、再生制御部１４から出力される処理信号（タイトルサーチ処理を開始したことを示す信号）に基いて、タイトルサーチ処理が開始されたことを表す画像を、再生制御部１４により開始された再生処理の種類を表す画像としてディスプレイ３にＯＳＤ表示する（＃６）。
【００４６】
なお、再生制御部１４は、タイトルサーチ処理を開始したときに、そのタイトルサーチ処理を開始したコンテンツがＢＤ−Ｊコンテンツであるか否かを示すコンテンツ種別信号を出力し、ＧＵＩ制御部１５は、そのコンテンツ種別信号を記憶する。そして、ＧＵＩ制御部１５は、その記憶したコンテンツ種別信号に基いて、以降、再生中のコンテンツがＢＤ−Ｊコンテンツであるか否かを判断する。
【００４７】
その後、ＧＵＩ制御部１５は、所定時間経過後に、＃３及び＃６におけるＯＳＤ表示を終了する（＃７）。すなわち、ＧＵＩ制御部１５は、所定時間経過後に、ユーザによりリモコン１１が操作されて入力された数字の表示、及びタイトルサーチ処理が開始されたことを表す画像の表示を終了する。
【００４８】
また、コンテンツの再生中であり（＃１でＹＥＳ）、再生中のコンテンツがＢＤ−Ｊコンテンツでない場合には（＃８でＮＯ）、ユーザによりリモコン１１が操作されて数字が入力されると（＃９でＹＥＳ）、ＧＵＩ制御部１５は、リモコン１１から出力される操作信号（入力された数字を示す信号）に基いて、その入力された数字を、リモコン１１の操作内容を表す画像としてディスプレイ３にＯＳＤ表示する（＃１０）。
【００４９】
その後、ユーザによりリモコン１１が操作されて数字の入力が確定されると（＃１１でＹＥＳ）、リモコン１１から出力される操作信号（数字の入力が確定されたことを示す信号）に基いて、再生制御部１４により再生処理としてボタン選択サーチ処理とチャプタサーチ処理のどちらかが実行されることになる。すなわち、再生中のコンテンツがボタン有りタイトルである場合には、ボタン選択サーチ処理が実行され、再生中のコンテンツがボタン無しタイトルである場合には、チャプタサーチ処理が実行されることになる。
【００５０】
そして、再生制御部１４により再生処理としてボタン選択サーチ処理が開始されると（＃１２でＹＥＳ）、ＧＵＩ制御部１５は、再生制御部１４から出力される処理信号（ボタン選択サーチ処理を開始したことを示す信号）に基いて、ボタン選択サーチ処理が開始されたことを表す画像を、再生制御部１４により開始された再生処理の種類を表す画像としてディスプレイ３にＯＳＤ表示する（＃１３）。
【００５１】
その後、ＧＵＩ制御部１５は、所定時間経過後に、＃１０及び＃１３におけるＯＳＤ表示を終了する（＃７）。すなわち、ＧＵＩ制御部１５は、所定時間経過後に、ユーザによりリモコン１１が操作されて入力された数字の表示、及びボタン選択サーチ処理が開始されたことを表す画像の表示を終了する。
【００５２】
一方、再生制御部１４により再生処理としてチャプタサーチ処理が開始されると（＃１４でＹＥＳ）、ＧＵＩ制御部１５は、再生制御部１４から出力される処理信号（チャプタサーチ処理を開始したことを示す信号）に基いて、チャプタサーチ処理が開始されたことを表す画像を、再生制御部１４により開始された再生処理の種類を表す画像としてディスプレイ３にＯＳＤ表示する（＃１５）。
【００５３】
その後、ＧＵＩ制御部１５は、所定時間経過後に、＃１０及び＃１５におけるＯＳＤ表示を終了する（＃７）。すなわち、ＧＵＩ制御部１５は、所定時間経過後に、ユーザによりリモコン１１が操作されて入力された数字の表示、及びチャプタサーチ処理が開始されたことを表す画像の表示を終了する。
【００５４】
また、コンテンツの再生中であり（＃１でＹＥＳ）、再生中のコンテンツがＢＤ−Ｊコンテンツである場合には（＃８でＹＥＳ）、ユーザによりリモコン１１が操作されて数字が入力されると（＃１６でＹＥＳ）、リモコン１１から出力される操作信号（入力された数字を示す信号）に基いて、再生制御部１４により、０．５秒以内に、入力された数字に従う処理が実行されることになる。
【００５５】
そして、再生制御部１４により入力された数字に従う処理が開始されると（＃１７でＹＥＳ）、ＧＵＩ制御部１５は、再生制御部１４から出力される処理信号に基いて、入力された数字に従う処理が開始されたことを表す画像を、再生制御部１４により開始された再生処理の種類を表す画像としてディスプレイ３にＯＳＤ表示する（＃１８）。
【００５６】
その後、ＧＵＩ制御部１５は、所定時間経過後に、＃１８におけるＯＳＤ表示を終了する（＃７）。すなわち、ＧＵＩ制御部１５は、所定時間経過後に、入力された数字に従う処理が開始されたことを表す画像の表示を終了する。
【００５７】
図３（ａ）（ｂ）（ｃ）（ｄ）（ｅ）は、タイトルサーチ処理時（コンテンツの再生中でない場合）のＧＵＩの表示例（ユーザによるリモコン１１の操作内容を表す画像、及び再生制御部１４により開始された再生処理の種類を表す画像の表示例）を示す。
【００５８】
コンテンツの再生中でない場合、図３（ａ）に示すように、ＧＵＩ制御部１５は、所定の初期画像４０（例えば、濃紺色の背景画像）をディスプレイ３にＯＳＤ表示する。
【００５９】
ここで、ユーザによりリモコン１１が操作されて数字が入力されると、図３（ｂ）、図３（ｃ）に示すように、ＧＵＩ制御部１５は、初期画像４０上に、リモコン１１の操作内容を表す画像４１をＯＳＤ表示する。
【００６０】
すなわち、リモコン１１の操作により１桁目の数字が入力されると、ＧＵＩ制御部１５は、図３（ｂ）に示すように、リモコン１１の操作内容を表す画像４１として、入力された１桁目の数字を表示する。図３（ｂ）に示す例では、リモコン１１の操作により１桁目の数字として「１」が入力され、リモコン１１の操作内容を表す画像４１として、数字「１」が表示されている。
【００６１】
また、リモコン１１の操作により２桁目の数字が入力されると、ＧＵＩ制御部１５は、図３（ｃ）に示すように、リモコン１１の操作内容を表す画像４１として、入力された１桁目と２桁目の数字を表示する。図３（ｃ）に示す例では、リモコン１１の操作により２桁目の数字として「２」が入力され、リモコン１１の操作内容を表す画像４１として、数字「１２」が表示されている。
【００６２】
続いて、ユーザによりリモコン１１が操作されて数字の入力が確定されると、再生制御部１４により再生処理としてタイトルサーチ処理（入力が確定された数字に対応するタイトルを再生する処理）が開始される。
【００６３】
そして、再生制御部１４によりタイトルサーチ処理が開始されると、図３（ｄ）に示すように、ＧＵＩ制御部１５は、初期画像４０の表示を終了し、再生制御部１４による再生画像５０上に、リモコン１１の操作内容を表す画像４１に加え、再生制御部１４により開始された再生処理の種類を表す画像４２をＯＳＤ表示する。図３（ｄ）に示す例では、再生処理の種類を表す画像４２として、タイトルサーチ処理が開始されたことを象徴的に表す図柄が表示されている。
【００６４】
その後、所定時間経過すると、図３（ｅ）に示すように、ＧＵＩ制御部１５は、リモコン１１の操作内容を表す画像４１、及び再生処理の種類を表す画像４２の表示を終了する。  
【００６５】
図４（ａ）（ｂ）（ｃ）（ｄ）（ｅ）は、ボタン選択サーチ処理時（コンテンツの再生中であり、再生中のコンテンツがＢＤ−Ｊコンテンツでないボタン有りタイトルである場合）のＧＵＩの表示例を示す。
【００６６】
コンテンツの再生中であり、再生中のコンテンツがＢＤ−Ｊコンテンツでないボタン有りタイトルである場合、図４（ａ）に示すように、ＢＤ−Ｊコンテンツでないボタン有りタイトルの再生画像５０がディスプレイ３に表示されており、また、その再生画像５０の一部として、再生中の区間を表す画像５１、及びスキップ可能なスキップ先の区間を表す画像５２（ユーザに選択させるためのボタン）が表示されている。図４（ａ）に示す例では、再生中の区間を表す画像５１には「ＩＧ＃０１」と記されている。また、スキップ先の区間を表す画像５２としては、画像５２ａと画像５２ｂの２つが表示されており、画像５２ａには「ＩＧ＃０２」と記されており、画像５２ｂには「ＩＧ＃１２」と記されている。
【００６７】
ここで、ユーザによりリモコン１１が操作されて数字が入力されると、図４（ｂ）、図４（ｃ）に示すように、ＧＵＩ制御部１５は、再生制御部１４による再生画像５０上に、リモコン１１の操作内容を表す画像４１をＯＳＤ表示する。
【００６８】
すなわち、リモコン１１の操作により１桁目の数字が入力されると、ＧＵＩ制御部１５は、図４（ｂ）に示すように、リモコン１１の操作内容を表す画像４１として、入力された１桁目の数字を表示する。図４（ｂ）に示す例では、リモコン１１の操作により１桁目の数字として「１」が入力され、リモコン１１の操作内容を表す画像４１として、数字「１」が表示されている。
【００６９】
また、リモコン１１の操作により２桁目の数字が入力されると、ＧＵＩ制御部１５は、図４（ｃ）に示すように、リモコン１１の操作内容を表す画像４１として、入力された１桁目と２桁目の数字を表示する。図４（ｃ）に示す例では、リモコン１１の操作により２桁目の数字として「２」が入力され、リモコン１１の操作内容を表す画像４１として、数字「１２」が表示されている。
【００７０】
続いて、ユーザによりリモコン１１が操作されて数字の入力が確定されると、再生制御部１４により再生処理としてボタン選択サーチ処理（入力が確定された数字（ユーザに選択されたスキップ先の区間を表す画像５２）に対応する位置にスキップして、そのスキップ先の位置から再生する処理）が開始される。
【００７１】
そして、再生制御部１４によりボタン選択サーチ処理が開始されると、図４（ｄ）に示すように、ＧＵＩ制御部１５は、再生制御部１４によるボタン選択サーチ処理開始後（スキップ後）の再生画像５０上に、リモコン１１の操作内容を表す画像４１に加え、再生制御部１４により開始された再生処理の種類を表す画像４２をＯＳＤ表示する。図４（ｄ）に示す例では、再生処理の種類を表す画像４２として、ボタン選択サーチ処理が開始されたことを象徴的に表す図柄が表示されている。また、スキップ後の再生画像５０の一部として、再生中の区間を表す画像５１、及びスキップ可能なスキップ先の区間を表す画像５２（５２ａ、５２ｃ）が表示されている。図４（ｄ）に示す例では、再生中の区間を表す画像５１には「ＩＧ＃１２」と記されており、スキップ先の区間を表す画像５２ａには「ＩＧ＃０２」と記されており、スキップ先の区間を表す画像５２ｃには「ＩＧ＃１７」と記されている。
【００７２】
その後、所定時間経過すると、図４（ｅ）に示すように、ＧＵＩ制御部１５は、リモコン１１の操作内容を表す画像４１、及び再生処理の種類を表す画像４２の表示を終了する。  
【００７３】
図５（ａ）（ｂ）（ｃ）（ｄ）（ｅ）は、チャプタサーチ処理時（コンテンツの再生中であり、再生中のコンテンツがＢＤ−Ｊコンテンツでないボタン無しタイトルである場合）のＧＵＩの表示例を示す。
【００７４】
コンテンツの再生中であり、再生中のコンテンツがＢＤ−Ｊコンテンツでないボタン無しタイトルである場合、図５（ａ）に示すように、ＢＤ−Ｊコンテンツでないボタン無しタイトルの再生画像５０がディスプレイ３に表示されている。
【００７５】
ここで、ユーザによりリモコン１１が操作されて数字が入力されると、図５（ｂ）、図５（ｃ）に示すように、ＧＵＩ制御部１５は、再生制御部１４による再生画像５０上に、リモコン１１の操作内容を表す画像４１をＯＳＤ表示する。
【００７６】
すなわち、リモコン１１の操作により１桁目の数字が入力されると、ＧＵＩ制御部１５は、図５（ｂ）に示すように、リモコン１１の操作内容を表す画像４１として、入力された１桁目の数字を表示する。図５（ｂ）に示す例では、リモコン１１の操作により１桁目の数字として「１」が入力され、リモコン１１の操作内容を表す画像４１として、数字「１」が表示されている。
【００７７】
また、リモコン１１の操作により２桁目の数字が入力されると、ＧＵＩ制御部１５は、図５（ｃ）に示すように、リモコン１１の操作内容を表す画像４１として、入力された１桁目と２桁目の数字を表示する。図５（ｃ）に示す例では、リモコン１１の操作により２桁目の数字として「２」が入力され、リモコン１１の操作内容を表す画像４１として、数字「１２」が表示されている。
【００７８】
続いて、ユーザによりリモコン１１が操作されて数字の入力が確定されると、再生制御部１４により再生処理としてチャプタサーチ処理（入力が確定された数字に対応するチャプタを再生する処理）が開始される。
【００７９】
そして、再生制御部１４によりチャプタサーチ処理が開始されると、図５（ｄ）に示すように、ＧＵＩ制御部１５は、再生制御部１４によるチャプタサーチ処理開始後の再生画像５０上に、リモコン１１の操作内容を表す画像４１に加え、再生制御部１４により開始された再生処理の種類を表す画像４２をＯＳＤ表示する。図５（ｄ）に示す例では、再生処理の種類を表す画像４２として、チャプタサーチ処理が開始されたことを象徴的に表す図柄が表示されている。
【００８０】
その後、所定時間経過すると、図５（ｅ）に示すように、ＧＵＩ制御部１５は、リモコン１１の操作内容を表す画像４１、及び再生処理の種類を表す画像４２の表示を終了する。  
【００８１】
このような構成の光ディスク再生装置１によれば、ユーザがリモコン１１を操作すると、その操作内容を表す画像４１が表示され、ユーザによるリモコン１１の操作を受けて再生処理が開始されると、その再生処理の種類を表す画像４２が表示される。すなわち、光ディスク２の種類やコンテンツの違いに関わらず、同じように、ユーザによるリモコン１１の操作内容を表す画像４１、及びユーザによるリモコン１１の操作を受けて開始された再生処理の種類を表す画像４２が表示され、ＧＵＩが共通化、統一化される。これにより、ユーザに違和感を与えることなく、ユーザが使用し易いＧＵＩを実現することができる。  
【００８２】
なお、本発明は、上記実施形態の構成に限られず、種々の変形が可能である。例えば、コンテンツの再生中でない場合に表示する初期画像は、例えば「数字を入力してください」のようなメッセージ画像を含んでいてもよい。また、再生処理の種類を表す画像は、例えば「○○処理が実行されました」のようなメッセージ画像であってもよい。また、ボタン選択サーチ処理が開始されたときには、ユーザは、スキップ先の区間を表す画像が変化することからボタン選択サーチ処理が開始されたことを知ることができるため、再生処理の種類を表す画像の表示を省略してもよい。
【符号の説明】
【００８３】
１    光ディスク再生装置
２    光ディスク
３    ディスプレイ
１１    リモコン（操作手段）
１２    リモコン受信部
１３    光ディスクドライブ
１４    再生制御部（再生制御手段）
１５    ＧＵＩ制御部（ＧＵＩ制御手段）
１６    ＯＳＤ処理部
【図１】
2010257508.tif 000003
【図２】
2010257508.tif 000004
【図３】
2010257508.tif 000005
【図４】
2010257508.tif 000006
【図５】
2010257508.tif 000007